(57)【要約】【課題】移動局の位置によるSINR測定誤差を低減する。【解決手段】移動局から基地局にパイロット信号が送信されると（シーケンスＳ１）、基地局がパイロット信号のSINRを測定する（シーケンスＳ２）。基地局では、測定結果と、以前に測定した測定結果とに基づいて、SINRの時間的な変動と周波数的な変動を求め（シーケンスＳ３）、これに基づいて移動局に送信させるパイロット信号の数の増減を決定する（シーケンスＳ４）。この増減に関する指示は、基地局で上り制御情報として生成され、移動局に宛てて送信される（シーケンスＳ５）。これに対し移動局は、基地局からのパイロット信号の増減に関する指示を検出する（シーケンスＳ６）。そして、上り制御情報を通じた基地局からの指示にしたがい、シーケンスＳ１で送信したパイロット信号の数を増加あるいは減少させてパイロット信号を送信するようにしたものである。【選択図】      図３
2009055546.tif 000002
【特許請求の範囲】
【請求項１】
移動通信網に収容される基地局と、この基地局と無線通信して前記移動通信網を通じた通信を行う移動局とを備え、前記基地局と前記移動局との間でOFDM方式を用いて所定のフレーム単位で通信を行う移動通信システムにおいて、
前記基地局は、
前記移動局から送信されるパイロット信号を受信する受信手段と、
この受信手段が受信したパイロット信号の受信品質を測定する測定手段と、
この測定手段の測定結果の変動を検出する検出手段と、
この検出手段の検出結果に応じて、前記移動局に割り当てるリソースブロック内のパイロット信号の数を制御する制御情報を生成する生成手段と、
この生成手段が生成した制御情報を前記フレーム毎に前記移動局に送信する送信手段と、
前記移動局は、
前記送信手段から送信される制御情報を受信する制御情報受信手段と、
前記リソースブロックを通じて前記フレーム毎に前記パイロット信号を送信するパイロット信号送信手段と、
前記制御情報受信手段が受信した制御情報に基づいて、前記パイロット信号送信手段が送信するリソースブロック内のパイロット信号の数を制御する制御手段とを具備することを特徴とする移動通信システム。
【請求項２】
前記検出手段は、前記測定手段の測定結果に基づいて、この測定結果の時間的な変動を検出することを特徴とする請求項１に記載の移動通信システム。
【請求項３】
前記生成手段は、前記検出手段の検出結果に応じて、前記移動局に割り当てるリソースブロック内のパイロット信号の時間方向の数を制御する制御情報を生成することを特徴とする請求項２に記載の移動通信システム。
【請求項４】
前記検出手段は、前記測定手段の測定結果に基づいて、この測定結果の周波的な変動を検出することを特徴とする請求項１に記載の移動通信システム。
【請求項５】
前記生成手段は、前記検出手段の検出結果に応じて、前記移動局に割り当てるリソースブロック内のパイロット信号の周波数方向の数を制御する制御情報を生成することを特徴とする請求項４に記載の移動通信システム。
【請求項６】
移動通信網に収容される基地局との間でOFDM方式を用いて通信を行う移動通信システムで用いられる移動無線端末装置において、
前記基地局から送信される制御情報を受信する制御情報受信手段と、
当該移動無線端末装置に割り当てられるリソースブロックを通じてパイロット信号を送信するパイロット信号送信手段と、
前記制御情報受信手段が受信した制御情報に基づいて、前記パイロット信号送信手段が送信するリソースブロック内のパイロット信号の数を制御する制御手段とを具備することを特徴とする移動無線端末装置。
【発明の詳細な説明】
【技術分野】
【０００１】
この発明は、基地局が移動局からの信号の受信品質に応じたチャネル割り当てを行う移動通信システムに関する。
【背景技術】
【０００２】
次世代の移動通信システムとして通信速度の高速化に適しており、マルチパス耐性に強いOFDM方式が有力候補となっている。OFDMを使用した移動通信システムでは、基地局が移動局に対して上り無線リソースを割り当てるために、移動局から送信されるパイロット信号を受信して、SINR(Signal to Interference and Noise power Ratio)等を利用した回線品質を測定する。そして、基地局は、上記SINRに基づいて無線リソースや変調フォーマットを決定し、これを移動局に割り当てるような処理が検討されている（例えば、特許文献１参照）。
【０００３】
このパイロット信号には、複数の移動局間での直交化や、オーバーヘッドの最小化などの要求があり、その送信方法が検討されている。しかしながら、セル境界に位置する移動局や遠方に位置する移動局は、基地局の近傍に位置する移動局に比べて、SINRの測定誤差が大きいという問題があった。このため、SINRに基づく無線リソースや変調フォーマットの割り当てが、適正に行われない虞があった。
【非特許文献１】3GPP TR 25.814 V7.0.0 (2006-06)
【発明の開示】
【発明が解決しようとする課題】
【０００４】
次世代の移動通信システムの標準化作業が進められているが、セル境界に位置する移動局や遠方に位置する移動局は、基地局の近傍に位置する移動局に比べて、SINRの測定誤差が大きいという問題があった。  
この発明は上記の問題を解決すべくなされたもので、移動局の位置によるSINR測定誤差を低減した移動通信システムおよび移動無線端末装置を提供することを目的とする。
【課題を解決するための手段】
【０００５】
上記の目的を達成するために、この発明は、移動通信網に収容される基地局と、この基地局と無線通信して移動通信網を通じた通信を行う移動局とを備え、基地局と移動局との間でOFDM方式を用いて所定のフレーム単位で通信を行う移動通信システムにおいて、基地局は、移動局から送信されるパイロット信号を受信する受信手段と、この受信手段が受信したパイロット信号の受信品質を測定する測定手段と、この測定手段の測定結果の変動を検出する検出手段と、この検出手段の検出結果に応じて、移動局に割り当てるリソースブロック内のパイロット信号の数を制御する制御情報を生成する生成手段と、この生成手段が生成した制御情報を所定のフレーム単位で移動局に送信する送信手段と、移動局は、送信手段から送信される制御情報を受信する制御情報受信手段と、リソースブロックを通じて所定のフレーム単位でパイロット信号を送信するパイロット信号送信手段と、制御情報受信手段が受信した制御情報に基づいて、パイロット信号送信手段が送信するリソースブロック内のパイロット信号の数を制御する制御手段とを具備して構成するようにした。
【発明の効果】
【０００６】
以上述べたように、この発明では、基地局でパイロット信号の受信品質の変動を検出し、これに応じた数のパイロット信号を移動局が送信するようにしている。  
したがって、この発明によれば、受信品質に応じて送信するパイロット信号の数を制御するようにしているので、移動局の位置によるSINR測定誤差を低減することが可能な移動通信システムおよび移動無線端末装置を提供できる。さらに本発明では、このパイロット信号の増減を所定の送信フレームのタイミングで行うことができるため、精度よくSINRの推定ができる。基地局からの制御によりリアルタイムで行うことができるため、無線リソースの効率的な利用が可能である。
【発明を実施するための最良の形態】
【０００７】
以下、図面を参照して、この発明の一実施形態について説明する。  
図１は、この発明の一実施形態に係わる移動通信システムの基地局の構成を示すものである。この基地局は、図示しない移動通信網に収容され、後述する移動局と無線通信し、この移動局を上記移動通信網に接続するものであって、制御部１００と、RF受信部１１０と、OFDM復調部１２０と、デコーダ１３０と、上り制御情報生成部１４０と、エンコーダ１５０と、OFDM変調部１６０と、RF送信部１７０とを備える。
【０００８】
RF受信部１１０は、移動局から送信される無線信号を受信する。  
OFDM復調部１２０は、RF受信部１１０が受信した信号に対して、GI(Guard Interval)除去、FFT(Fast Fourier Transform)、信号分離などのOFDM(Orthogonal Frequency Division Multiplexing)復調を施し、各サブキャリアから制御信号、パイロット信号、データ信号を得る。
【０００９】
デコーダ１３０は、OFDM復調部１２０にて得られたデータ信号に対して、直交コード乗算、デリピティション、復調、チャネルデインターリーブ、チャネルデコードなどを行い、移動局から送られたデータDMを受信データとして得る。
【００１０】
上り制御情報生成部１４０は、制御部１００からの指示にしたがって、MCS(Modulation and Coding set)情報などを含む、移動局が当該基地局に向けた上り信号を送信するための制御情報（以下、上り制御情報と称する）を生成し、これに基づく制御信号を生成してOFDM変調部１６０に出力する。
【００１１】
エンコーダ１５０は、当該基地局から移動局に送信するデータDBに対して、チャネルエンコード、チャネルインターリーブ、変調、リピティション、直交コード乗算などの処理を施して、データ信号を得る。
【００１２】
OFDM変調部１６０は、制御部１００からの指示にしたがって、リソースブロックを構成するサブキャリアに、それぞれパイロット信号、上記制御信号、上記データ信号を割り当て、IFFT(Inverse Fast Fourier Transform)、GI付加などを含むOFDM変調を行う。また、OFDM変調部１６０は、制御部１００からの指示にしたがって、パイロット信号、上記制御信号、及び、上記データ信号を所定の下り送信フレーム時刻にあわせて周期的に生成する。
【００１３】
RF送信部１７０は、OFDM変調部１６０により得られた信号を無線周波数に変換して、アンテナより空間に放射する。
【００１４】
制御部１００は、当該基地局の各部を統括して制御し、移動局を移動通信網に接続するものであって、移動局から制御信号を通じて通知されるCQI(Channel Quality Indicator)などに基づいて、移動局毎にリソースブロックの割り当てなどの伝送フォーマットを決定し、これをMCS情報として移動局に通知し、この情報にしたがって移動局と無線通信を実現するものである。
【００１５】
また制御部１００は、SINR測定部１００ａと、記憶部１００ｂとを備える。SINR測定部１００ａは、OFDM復調部１２０で得られたパイロット信号に基づいて、SINR(Signal to Interference and Noise power Ratio)を測定するものである。記憶部１００ｂは、当該制御部１００の制御プログラムや制御データを記憶し、制御データの一部は制御部１００によって更新される。
【００１６】
そして制御部１００は、SINR測定部１００ａの測定結果に基づいて、SINRの時間的な分散Dtおよび周波数的な分散Dfを求め、これらと移動局から通知されるCQIなどに基づいて、移動局毎に当該基地局に向けた上りのパイロット信号の割り当てる数の制御を行う。
【００１７】
図２は、この発明の一実施形態に係わる移動通信システムの移動局の構成を示すものである。この移動局は、制御部２００と、RF受信部２１０と、OFDM復調部２２０と、デコーダ２３０と、パイロット生成部２４０と、エンコーダ２５０と、OFDM変調部２６０と、RF送信部２７０とを備える。
【００１８】
RF受信部２１０は、基地局から送信される無線信号を受信する。  
OFDM復調部２２０は、RF受信部２１０が受信した信号に対して、GI(Guard Interval)除去、FFT(Fast Fourier Transform)、信号分離などのOFDM(Orthogonal Frequency Division Multiplexing)復調を施し、各サブキャリアから制御信号、パイロット信号、データ信号を得る。また、OFDM復調部２２０は、上記パイロット信号、上記制御信号、及び、上記データ信号を所定の上りフレーム時刻にあわせて周期的に再生する。
【００１９】
デコーダ２３０は、OFDM復調部２２０にて得られたデータ信号に対して、直交コード乗算、デリピティション、復調、チャネルデインターリーブ、チャネルデコードなどを行い、基地局から送られたデータDBを受信データとして得る。  
パイロット生成部２４０は、制御部２００からの指示にしたがって、基地局が既知のパイロット信号を生成する。  
エンコーダ２５０は、当該移動局から基地局に送信するデータDMに対して、チャネルエンコード、チャネルインターリーブ、変調、リピティション、直交コード乗算などの処理を施して、データ信号を得る。
【００２０】
OFDM変調部２６０は、制御部２００からの指示にしたがって、リソースブロックを構成するサブキャリアに、それぞれパイロット信号、上記制御信号、上記データ信号を割り当て、IFFT(Inverse Fast Fourier Transform)、GI付加などを含むOFDM変調を行う。  
RF送信部２７０は、OFDM変調部２６０により得られた信号を無線周波数に変換して、アンテナより空間に放射する。
【００２１】
制御部２００は、当該移動局の各部を統括して制御するものであって、基地局から制御信号を通じて通知されるMCS情報に基づいて、当該移動局割り当てられたリソースブロックや伝送フォーマットを認識し、これにしたがって基地局と無線通信を実現するものである。
【００２２】
また制御部２００は、上り制御情報検出部２００ａを備える。上り制御情報検出部２００ａは、基地局から当該移動局に宛てて送られた制御信号から上り制御情報を取得し、当該移動局に割り当てられた上り信号のリソースブロックに、上記上り制御情報にしたがった数のパイロット信号を割り当てるようにOFDM変調部２６０に指示を行う。
【００２３】
次に、上記構成の移動通信システムの動作について説明する。図３は、移動局から基地局に向けて送信されるパイロット信号の増減制御に関するシーケンスを示す図である。  
まず、移動局から基地局にパイロット信号が送信されると（シーケンスＳ１）、これを受信した基地局が、SINR測定部１００ａによりパイロット信号のSINRを測定する（シーケンスＳ２）。そして、基地局では、制御部１００がSINR測定部１００ａの測定結果と、以前に測定した測定結果とに基づいて、SINRの時間的な変動（時間的分散Dt）と周波数的な変動（周波数的分散Df）を求め（シーケンスＳ３）、これに基づいて制御部１００が、移動局に送信させるパイロット信号の数の増減を決定する（シーケンスＳ４）。この増減に関する指示は、基地局において、上り制御情報生成部１４０により上り制御情報として生成され、OFDM変調部１６０およびRF送信部１７０を通じて、移動局に宛てて送信される（シーケンスＳ５）。
【００２４】
これに対して移動局は、上記上り制御情報をRF受信部２１０およびOFDM復調部２２０を通じて受信して、上り制御情報検出部２００ａが解析し、基地局からのパイロット信号の増減に関する指示を検出する（シーケンスＳ６）。そして、上り制御情報検出部２００ａは、上り制御情報を通じた基地局からの指示にしたがい、シーケンスＳ１で送信したパイロット信号の数を増加あるいは減少させてパイロット信号を送信するように、パイロット生成部２４０およびOFDM変調部２６０に対して指示を行う。これにより、OFDM変調部２６０は、必要な数だけサブキャリアにパイロット信号を割り当ててOFDM変調を行い、RF送信部２７０を通じてパイロット信号を送信する（シーケンスＳ７）。
【００２５】
なお、基地局と移動局との間では、パイロット信号を増減させた場合に、どのサブキャリアから増加あるいは減少させるかを予め定められた規則にしたがって行われることになっているため、増加数あるいは減少数を伝達するだけで、両者の間で用いるサブキャリアを認識することができる。
【００２６】
次に、図３で示した基地局によるシーケンスＳ２〜４の処理について詳細に説明する。図４は、上記処理をフローチャートで示したものであり、この処理は、基地局に係属する複数の移動局、それぞれについて実施され、各移動局のパイロット信号のSINRの分散に応じて、増減が制御される。この処理は、制御部１００によって為され、その制御プログラムは記憶部１００ｂに記憶される。
【００２７】
まずステップ４ａにおいて制御部１００は、移動局から送信されるパイロット信号が複数のサブキャリアを通じて送信されるか否か、すなわち移動局に割り当てられたリソースブロックを構成するサブキャリアに、複数のパイロット信号を割り当てているか否かを判定する。ここで、複数のパイロット信号を割り当てている場合には、ステップ４ｄに移行し、一方、１つのパイロット信号しか割り当てていない場合には、ステップ４ｂに移行する。
【００２８】
ステップ４ｂにおいて制御部１００は、移動局に割り当てたリソースブロックを構成するサブキャリアのうち、パイロット信号が割り当てられたサブキャリアと同じタイミングのサブキャリア全体のSINRをSINR測定部１００ａに測定させ、ステップ４ｃに移行する。
【００２９】
これによりSINR測定部１００ａは、上記タイミングのサブキャリア全体のSINRを測定し、この測定結果をrt(k)として記憶部１００ｂに記録する。なお、kは、リソースブロックの識別番号を示す。
【００３０】
例えば６×４（周波数方向×時間方向）個のサブキャリアからなるリソースブロックに、図５に示すようなタイミングにパイロット信号が割り当てられていた場合、このパイロット信号と同じタイミングの計６個のサブキャリア全体のSINRをSINR測定部１００ａは測定する。
【００３１】
ステップ４ｃにおいて制御部１００は、ステップ４ｂで記憶部１００ｂに記録した測定結果rt(k)や、前回の処理で記憶部１００ｂに記録した測定結果Rt(k)、予め記憶部１００ｂに記憶される閾値Dthtなどに基づいて、SINR測定部１００ａにより、時間制御の判定処理を実施し、ステップ４ｇに移行する。図６に、上記時間制御の判定処理の詳細を示す。記憶部１００ｂに記憶される
まずステップ６ａにおいてSINR測定部１００ａは、記憶部１００ｂから測定結果rt(k)を読み出し、ステップ６ｂに移行する。  
ステップ６ｂにおいてSINR測定部１００ａは、前回のリソースブロック（k-1）についての時間制御の判定処理で記憶部１００ｂに記録しておいたRt(k)（＝rt(k-1)）を読み出し、ステップ６ｃに移行する。
【００３２】
ステップ６ｃにおいてSINR測定部１００ａは、上記測定結果rt(k)と上記Rt(k)とに基づいて、リソースブロック間で、SINRの時間的な変動（時間的分散Dt）を求め、ステップ６ｄに移行する。時間的分散Dtは、例えば、下式（１）によって求める。ここでは、下式（１）に示すように、前のリソースブロックで測定したSINRとの差から時間的分散Dtを求めるが、これに代わり、過去数回分のリソースブロックで測定したSINRの平均値との差から時間的分散Dtを求めるようにしてもよい。
【数１】
2009055546.tif 000003
【００３３】
ステップ６ｄにおいてSINR測定部１００ａは、ステップ６ｃで求めた時間的分散Dtを予め設定した閾値Dthtと比較し、時間的分散Dtが閾値Dthtよりも大きいか否か、すなわち、測定したSINRの時間的な変動が予め設定した値Dthtよりも大きいか否かを判定する。ここで、測定したSINRの時間的な変動が予め設定した値Dthtよりも大きい場合には、ステップ６ｅに移行し、一方、大きくない場合には、ステップ６ｆに移行する。
【００３４】
ステップ６ｅにおいてSINR測定部１００ａは、時間的にパイロット信号をN個だけ増やすことを示すために、制御パラメータΔptに「+N」を設定し、ステップ６ｇに移行する。  
一方、ステップ６ｆにおいてSINR測定部１００ａは、時間的にパイロット信号をN個だけ減らすことを示すために、制御パラメータΔptに「-N」を設定し、ステップ６ｇに移行する。なお、この時点で、パイロット信号は１つしか割り当てられていないため、ステップ６ｆでは、制御パラメータΔptに「０」を設定してもよい。あるいは、移動局において、パイロット信号を１つしか割り当てていない場合に、制御パラメータΔptに「-N」が設定される場合には、この指示を無視して、継続してパイロット信号を１つだけ割り当てるようにしてもよい。
【００３５】
ステップ６ｇにおいてSINR測定部１００ａは、Rt(k+1)にrt(k)を設定して、これを記憶部１００ｂに記録し、当該処理を終了する。なお、ここで記録されたRt(k+1)は、k+1番目のリソースブロックについての時間制御の判定処理に用いられる。
【００３６】
ここで再び、図４を参照して、ステップ４ｄの処理について説明する。  
ステップ４ｄにおいて制御部１００は、処理（ａ）および処理（ｂ）を実行し、ステップ４ｅに移行する。
【００３７】
処理（ａ）で制御部１００は、ステップ４ｂと同様に、移動局に割り当てたリソースブロックを構成するサブキャリアのうち、パイロット信号が割り当てられたサブキャリアと同じタイミングのサブキャリア全体のSINRをSINR測定部１００ａに測定させる。
【００３８】
これによりSINR測定部１００ａは、上記タイミングのサブキャリア全体のSINRを測定し、この測定結果をrt(k)として記憶部１００ｂに記録する。なお、kは、リソースブロックの識別番号を示す。
【００３９】
例えば６×４（周波数方向×時間方向）個のサブキャリアからなるリソースブロックに、図７に示すような２つのタイミング（横軸方向）にパイロット信号が割り当てられていた場合、これらのパイロット信号と同じタイミングの計１２個のサブキャリア全体のSINRをSINR測定部１００ａは測定する。
【００４０】
また処理（ｂ）で制御部１００は、移動局に割り当てたリソースブロックを構成するサブキャリアのうち、パイロット信号が割り当てられたすべてのサブキャリアのSINRをそれぞれ周波数毎にSINR測定部１００ａに測定させる。ここで、それに該当するサブキャリアの周波数の数をｎ個とする。
【００４１】
これによりSINR測定部１００ａは、上記ｎ個の周波数毎に、サブキャリアのSINRを測定し、測定結果r1(k)〜rn(k)を得て、この測定結果を記憶部１００ｂに記録する。なお、kは、リソースブロックの識別番号を示す。
【００４２】
例えば６×４（周波数方向×時間方向）個のリソースブロックに、図７に示すように２つの周波数（n=2）と２つのタイミング（t=2）にパイロット信号が割り当てられていた場合、これらの周波数についてSINRをSINR測定部１００ａは測定する。
【００４３】
ステップ４ｅにおいて制御部１００は、ステップ４ｄの処理（ａ）で記憶部１００ｂに記録した測定結果rt(k)や、前回の処理で記憶部１００ｂに記録した測定結果Rt(k)、予め記憶部１００ｂに記憶される閾値Dthtなどに基づいて、SINR測定部１００ａにより、時間制御の判定処理を実施し、ステップ４ｆに移行する。なお、ここで行われる時間制御の判定処理は、ステップ４ｃの説明で用いた図６と類似することより、この図を用いて以下に詳細に説明する。
【００４４】
まずステップ６ａにおいてSINR測定部１００ａは、記憶部１００ｂから測定結果rt(k)を読み出し、ステップ６ｂに移行する。  
ステップ６ｂにおいてSINR測定部１００ａは、前回のリソースブロック（k-1）についての時間制御の判定処理で記憶部１００ｂに記録しておいたRt(k)（＝rt(k-1)）を読み出し、ステップ６ｃに移行する。
【００４５】
ステップ６ｃにおいてSINR測定部１００ａは、上記測定結果rt(k)と上記Rt(k)とに基づいて、リソースブロック間で、SINRの時間的な変動（時間的分散Dt）を求め、ステップ６ｄに移行する。時間的分散Dtは、例えば、下式（２）によって求める。ここでは、式（２）に示すように、前のリソースブロックで測定したSINRとの差から時間的分散Dtを求めるが、これに代わり、過去数回分のリソースブロックで測定したSINRの平均値との差から時間的分散Dtを求めるようにしてもよい。
【数２】
2009055546.tif 000004
【００４６】
ステップ６ｄにおいてSINR測定部１００ａは、ステップ６ｃで求めた時間的分散Dtを予め設定した閾値Dthtと比較し、時間的分散Dtが閾値Dthtよりも大きいか否か、すなわち、測定したSINRの時間的な変動が予め設定した値Dthtよりも大きいか否かを判定する。ここで、測定したSINRの時間的な変動が予め設定した値Dthtよりも大きい場合には、ステップ６ｅに移行し、一方、大きくない場合には、ステップ６ｆに移行する。
【００４７】
なお、ステップ６ｃにおいて、式（２）を用いずに式（１）を用いるようにし、閾値Dthtは、パイロット信号が割り当てられたタイミングの数tに応じた値を予め記憶部１００ｂに記憶しておき、ステップ６ｄでタイミング数に応じた値を用いるようにしてもよい。あるいは、ステップ６ｃにおいて、式（２）を用いずに式（１）を用いるようにし、ステップ６ａでrt(k)を求めた時点で、これをタイミング数tに応じた値に正規化（平均化）するようにし、タイミング数tによらず、１つの閾値Dthtで判定が行えるようにしてもよい。
【００４８】
ステップ６ｅにおいてSINR測定部１００ａは、時間的にパイロット信号をN個だけ増やすことを示すために、制御パラメータΔptに「+N」を設定し、ステップ６ｇに移行する。  
一方、ステップ６ｆにおいてSINR測定部１００ａは、時間的にパイロット信号をN個だけ減らすことを示すために、制御パラメータΔptに「-N」を設定し、ステップ６ｇに移行する。
【００４９】
ステップ６ｇにおいてSINR測定部１００ａは、Rt(k+1)にrt(k)を設定して、これを記憶部１００ｂに記録し、当該処理を終了する。なお、ここで記録されたRt(k+1)は、k+1番目のリソースブロックについての時間制御の判定処理に用いられる。
【００５０】
ここで再び、図４を参照して、ステップ４ｆの処理について説明する。  
ステップ４ｆにおいて制御部１００は、ステップ４ｄの処理（ｂ）で記憶部１００ｂに記録した測定結果r1(k)〜rn(k)や、予め記憶部１００ｂに記憶される閾値Dthfなどに基づいて、SINR測定部１００ａにより、周波数制御の判定処理を実施し、ステップ４ｇに移行する。図８に、上記周波数制御の判定処理の詳細を示す。
【００５１】
まずステップ８ａにおいてSINR測定部１００ａは、記憶部１００ｂから測定結果r1(k)〜rn(k)を読み出し、ステップ８ｂに移行する。  
ステップ８ｂにおいてSINR測定部１００ａは、上記測定結果r1(k)〜rn(k)に基づいて、リソースブロック内におけるSINRの周波数的な変動（周波数的分散Df）を求め、ステップ８ｃに移行する。周波数的分散Dfは、例えば、下式（３）によって求める。
【数３】
2009055546.tif 000005
【００５２】
ステップ８ｃにおいてSINR測定部１００ａは、ステップ８ｃで求めた周波数的分散Dfを予め設定した閾値Dthfと比較し、周波数的分散Dfが閾値Dthfよりも大きいか否か、すなわち、測定したSINRの周波数的な変動が予め設定した値Dthfよりも大きいか否かを判定する。ここで、測定したSINRの周波数的な変動が予め設定した値Dthfよりも大きい場合には、ステップ８ｄに移行し、一方、大きくない場合には、ステップ８ｅに移行する。
【００５３】
なお、閾値Dthfは、パイロット信号が割り当てられた周波数の数nに応じた値を予め記憶部１００ｂに記憶しておき、ステップ８ｄで周波数の数nに応じた値を用いるようにする。あるいは、ステップ８ａでr1(k)〜rn(k)を求めた時点で、これを周波数の数nに応じた値に正規化（平均化）するようにし、周波数の数nによらず、１つの閾値Dthfで判定が行えるようにしてもよい。
【００５４】
ステップ８ｄにおいてSINR測定部１００ａは、周波数的にパイロット信号をM個だけ増やすことを示すために、制御パラメータΔpfに「+M」を設定し、当該処理を終了する。  
一方、ステップ８ｅにおいてSINR測定部１００ａは、周波数的にパイロット信号をM個だけ減らすことを示すために、制御パラメータΔpfに「-M」を設定し、当該処理を終了する。
【００５５】
ここで再び、図４を参照して、ステップ４ｇの処理について説明する。  
ステップ４ｇにおいて制御部１００は、図３のシーケンスＳ５に相当する処理として、ステップ４ｃで得た制御パラメータΔpt、あるいはステップ４ｅおよびステップ４ｆで得た制御パラメータΔptとΔpfとに基づいて、これらの情報を含む上り制御信号を生成するように上り制御情報生成部１４０およびOFDM変調部１６０に指示を与える。
【００５６】
これにより上り制御情報生成部１４０は、制御部１００からの指示にしたがって、上記制御パラメータを含む上り制御信号を生成する。またOFDM変調部１６０は、制御部１００からの指示にしたがって、上記上り制御信号を制御信号に割り当ててOFDM変調を行い、RF送信部１７０を通じて移動局に送信する。
【００５７】
以後、移動局では、前述したシーケンスＳ６に相当する処理として、上記上り制御情報をRF受信部２１０およびOFDM復調部２２０を通じて受信して、上り制御情報検出部２００ａが解析し、基地局からのパイロット信号の増減に関する指示を検出する。
【００５８】
そして、移動局は、前述したシーケンスＳ７に相当する処理として、上り制御情報検出部２００ａは、上り制御情報を通じた基地局からの指示にしたがい、ｋ番目のリソースブロックで送信したパイロット信号の数を増加あるいは減少させて、ｋ＋１番目のリソースブロックでパイロット信号を送信するように、パイロット生成部２４０およびOFDM変調部２６０に対して指示を行う。これにより、OFDM変調部２６０は、必要な数だけサブキャリアにパイロット信号を割り当ててOFDM変調を行い、RF送信部２７０を通じてパイロット信号を送信する。
【００５９】
例えば、ｋ番目のリソースブロックに図９（ａ）あるいは図１０（ａ）に示すようにパイロット信号が割り当てられていた場合に、時間方向のSINRの分散が高いと、この移動局は相対的に遠い場所に位置するものと見なして、図９（ｂ）に示すように、パイロット信号の割り当てを時間方向に増やす指示を基地局が移動局に行う。一方、時間方向のSINRの分散が低いと、この移動局は相対的に近い場所に位置するものと見なして、図１０（ｂ）に示すように、パイロット信号の割り当てを時間方向に減らす指示を基地局が移動局に行う。
【００６０】
また例えば、ｋ番目のリソースブロックに図１１（ａ）あるいは図１２（ａ）に示すようにパイロット信号が割り当てられていた場合に、周波数方向のSINRの分散が高いと、この移動局は相対的に遠い場所に位置するものと見なして、図１１（ｂ）に示すように、パイロット信号の割り当てを周波数方向に増やす指示を基地局が移動局に行う。一方、周波数方向のSINRの分散が低いと、この移動局は相対的に近い場所に位置するものと見なして、図１２（ｂ）に示すように、パイロット信号の割り当てを周波数方向に減らす指示を基地局が移動局に行う。
【００６１】
そしてまた例えば、ｋ番目のリソースブロックに図１３（ａ）あるいは図１４（ａ）に示すようにパイロット信号が割り当てられていた場合に、周波数方向のSINRの分散が高く、かつ時間方向のSINRの分散が低いと、図１３（ｂ）に示すように、パイロット信号の割り当てを周波数方向には減らし、時間方向には増やす指示を基地局が移動局に行う。一方、周波数方向のSINRの分散が低く、かつ時間方向のSINRの分散が高いと、図１４（ｂ）に示すように、パイロット信号の割り当てを周波数方向には増やし、時間方向には減らす指示を基地局が移動局に行う。
【００６２】
以上のように、上記構成の移動通信システムでは、周波数方向および時間方向のSINRの変動を監視し、変動が大きい場合には、パイロット信号の割り当てを増やし、一方、変動が小さい場合には、パイロット信号の割り当てを減らすようにしている。  
さらに本発明では、このパイロット信号の増減を所定の送信フレームのタイミングで行うことができるため、精度よくSINRの推定ができる。基地局からの制御によりリアルタイムで行うことができるため、無線リソースの効率的な利用が可能である。
【００６３】
したがって、上記構成の移動通信システムによれば、移動局の位置によって、パイロット信号の割り当て数を可変するようにしているので、SINR測定誤差を低減することができる。  
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【００６４】
【図１】この発明に係わる移動通信システムの基地局の一実施形態の構成を示す回路ブロック図。
【図２】この発明に係わる移動通信システムの移動局の一実施形態の構成を示す回路ブロック図。
【図３】この発明に係わる移動通信システムの基地局と移動局との間で為されるパイロット信号の割り当てに関するシーケンスを示す図。
【図４】図２に示した移動局のパイロット信号の割り当てに関する処理を説明するためのフローチャート。
【図５】サブキャリアにパイロット信号が割り当てられたリソースブロック一例を示す図。
【図６】図２に示した移動局のパイロット信号の割り当てに関する処理を説明するためのフローチャート。
【図７】サブキャリアにパイロット信号が割り当てられたリソースブロック一例を示す図。
【図８】図２に示した移動局のパイロット信号の割り当てに関する処理を説明するためのフローチャート。
【図９】サブキャリアに割り当てられるパイロット信号が増加する様子を説明するための図。
【図１０】サブキャリアに割り当てられるパイロット信号が減少する様子を説明するための図。
【図１１】サブキャリアに割り当てられるパイロット信号が増加する様子を説明するための図。
【図１２】サブキャリアに割り当てられるパイロット信号が減少する様子を説明するための図。
【図１３】サブキャリアに割り当てられるパイロット信号が変化する様子を説明するための図。
【図１４】サブキャリアに割り当てられるパイロット信号が変化する様子を説明するための図。
【符号の説明】
【００６５】
１００…制御部、１００ａ…SINR測定部、１００ｂ…記憶部、１１０…受信部、１２０…OFDM復調部、１３０…デコーダ、１４０…上り制御情報生成部、１５０…エンコーダ、１６０…OFDM変調部、１７０…RF送信部、２００…制御部、２００ａ…上り制御情報検出部、２１０…RF受信部、２２０…OFDM復調部、２３０…デコーダ、２４０…パイロット生成部、２５０…エンコーダ、２６０…OFDM変調部、２７０…RF送信部。
【図１】
2009055546.tif 000006
【図２】
2009055546.tif 000007
【図３】
2009055546.tif 000008
【図４】
2009055546.tif 000009
【図５】
2009055546.tif 000010
【図６】
2009055546.tif 000011
【図７】
2009055546.tif 000012
【図８】
2009055546.tif 000013
【図９】
2009055546.tif 000014
【図１０】
2009055546.tif 000015
【図１１】
2009055546.tif 000016
【図１２】
2009055546.tif 000017
【図１３】
2009055546.tif 000018
【図１４】
2009055546.tif 000019